【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
患者の皮膚表面に、薬物を注入するための皮内深さに貫入するのに十分な長さを有する少なくとも一のニードルと、
ニードルの完全な挿入を制限することなく、前記皮膚表面内への最大挿入深さをコントロールする、ニードル挿入深さをコントロールするためのリミッターと、
前記ニードル長さ及び前記リミッターが前記注入物が注入される場所での深さを決定するように、ニードル挿入部付近の組織の歪み、圧縮、または薄化を防ぎつつ、前記リミッターの増大する適用力を許容するためのリジットスタビライザーであって、注入される前記薬剤の量及び前記リミッターの直径に基いて決定された第１の距離に固定されているリジットスタビライザーと、を備え、
前記リミッター及び前記リジットスタビライザーは、前記ニードル、リミッター、およびスタビライザーが順番に前記皮膚表面に接触するような第２の距離をもつ固定された延長距離差を有し、前記第２の距離は、前記ニードルの先鋭度及び前記リミッターの前記直径に基いて決定されていることを特徴とする、注入薬物送出装置。
【請求項２】
前記リミッターは、本体および外側面を備え、前記ニードルは前記外側面から軸方向に延在していることを特徴とする、請求項１に記載の注入薬物送出装置。
【請求項３】
前記リミッターの前記本体は、実質的に円筒形状であり、前記リミッターの前記直径は、前記ニードルの外径の約２倍であることを特徴とする、請求項２に記載の注入薬物送出装置。
【請求項４】
前記リミッターの前記直径は、約０．０４０インチであることを特徴とする、請求項１に記載の注入薬物送出装置。
【請求項５】
前記ニードルは、前記リミッターを越えて軸線方向に沿って延在し、そして、前記リミッターは、前記第２の距離だけ前記スタビライザーを越えて軸線方向に沿って延在することを特徴とする、請求項１に記載の注入薬物送出装置。
【請求項６】
前記リミッターは、約０．０２０インチと約０．１００インチとの間にある前記第２の距離だけ前記スタビライザーを越えて軸線方向に沿って延在していることを特徴とする、請求項５に記載の注入薬物送出装置。
【請求項７】
前記リミッターは、約０．０４０インチの前記第２の距離だけ前記スタビライザーを越えて軸線方向に沿って延在していることを特徴とする、請求項５に記載の注入薬物送出装置。
【請求項８】
前記スタビライザーは、前記リミッターのまわりで約０．１０５インチの距離に同心円状に配置された連続するリング部材を備えることを特徴とする、請求項１に記載の注入薬物送出装置。
【請求項９】
前記リング部材は、約０．１０インチと約１．００インチとの間の内径を備えることを特徴とする、請求項８に記載の注入薬物送出装置。
【請求項１０】
前記リング部材が約０．２５インチの内径から備えることを特徴とする請求項８に記載の注入薬物送出装置。
【請求項１１】
前記ニードルが３１ゲージと３４ゲージとの間のニードルを備えることを特徴とする請求項１に記載の注入薬物送出装置。
【請求項１２】
前記ニードルが単一角度２８度、ＥＤＭべベル、３１ゲージのニードルを備えることを特徴とする請求項１に記載の注入薬物送出装置。
【請求項１３】
前記ニードルが単一角度２８度、ＥＤＭべベル、３４ゲージのニードルを備えることを特徴とする請求項１に記載の注入薬物送出装置。
【請求項１４】
前記ニードルが、３つの角度、グラウンドべベル、３１ゲージのニードルを備えることを特徴とする請求項１に記載の注入薬物送出装置。
【請求項１５】
前記ニードルが、前記皮膚表面を約０．５ mmと約１．５mmの間の深さまで貫入するのに十分な長さを有するニードルを含むことを特徴とする請求項１に記載の注入薬物送出装置。
【請求項１６】
前記ニードルは、ステンレス鋼，タングステン鋼，シリコン，セラミック,ガラスポリマー，非反応性の金属，ならびに、ニッケル、モリブデン、クロム、コバルトおよびチタンの合金のうちの少なくとも一つで構成されたニードルを含み、前記リミッターおよびリジットスタビライザーは、射出成形ポリマー、ポリカーボネート、ＣＯＣポリマー、ポリエチレン、ポリプロピレン、ポリエステル、およびポリアミドのうちの少なくとも一つから構成されることを特徴とする、請求項１に記載の注入薬物送出装置。
【請求項１７】
患者の皮膚表面に、薬物を注入するための皮内深さまで貫入するのに十分な長さを有する少なくとも一のニードルと、
最大挿入深さをコントロールするためのリミッターであって、前記ニードルの完全な挿入を制限することなく、前記皮膚表面への前記ニードルの最大挿入深さをコントロールするリミッターと、
前記器具を前記皮膚表面に固定するための接着剤を備える可撓性ニードルホルダーであって、前記ニードル長さおよび前記リミッターが注入剤が送出される場所の深さを決定して、ニードル挿入部位の付近における前記組織の歪み、圧縮、または、薄化を防ぐために、前記リミッターから第１の距離に固定されている可撓性ニードルホルダーと
を備えることを特徴とする注入薬物送出装置。
【請求項１８】
前記可撓性ニードルホルダーは、前記リミッターを弾力的にサポートするための少なくとも一のスプリング部材を備えることを特徴とする請求項１７に記載の注入薬物送出装置。
【請求項１９】
前記スプリング部材が、前記リミッターにプリロードすることを特徴とする請求項１８に記載の注入薬物送出装置。
【請求項２０】
前記リミッターは、本体および外面を備え、前記ニードルは前記外面から軸線方向に延在していることを特徴とする請求項１７に記載の注入薬物送出装置。
【請求項２１】
前記リミッターの前記本体は、実質的に円筒形であり、前記リミッターの外径が、前記ニードルの外径の約２倍であることを特徴とする請求項２０に記載の注入薬物送出装置。
【請求項２２】
前記リミッターの外径は、約０．０４０インチであることを特徴とする請求項１７に記載の注入薬物送出装置。
【請求項２３】
前記ニードルは、３１ゲージと３４ゲージとの間のニードルを含むことを特徴とする請求項１７に記載の注入薬物送出装置。
【請求項２４】
前記ニードルは、単一角度２８度、ＥＤＭべベル、３１ゲージのニードルを含むことを特徴とする請求項１７に記載の注入薬物送出装置。
【請求項２５】
前記ニードルは、単一角度２８度、ＥＤＭべベル、３４ゲージのニードルを含むことを特徴とする請求項１７に記載の注入薬物送出装置。
【請求項２６】
前記ニードルは、３つの角度、グラウンドべベル、３１ゲージのニードルを含むことを特徴とする請求項１７に記載の注入薬物送出装置。
【請求項２７】
前記ニードルは、前記皮膚表面を約０．５ mmと約１．５mmの間の深さまで貫入するのに十分な長さを有するニードルを含むことを特徴とする請求項１７に記載の注入薬物送出装置。
【請求項２８】
前記ニードルは、ステンレス鋼、タングステン鋼、シリコン、セラミック、ガラスポリマー、非反応性金属、並びに、ニッケル、モリブデン、クロム、コバルト、およびチタンの合金のうちの少なくとも一つで構成されたニードルを含み、前記リミッターおよび前記ホルダーは、射出成形ポリマー、ポリカーボネート、ＣＯＣポリマー、ポリエチレン、ポリプロピレン、ポリエステル、およびポリアミドのうちの少なくとも一つから構成されることを特徴とする請求項１７に記載の注入薬物送出装置。
【請求項２９】
前記リミッターを瞬時に押すためのスプリング付き圧子をさらに含むことを特徴とする請求項１７に記載の注入薬物送出装置。
【請求項３０】
患者の皮膚表面に、薬物を注入するための皮内深さに貫入するのに十分な長さを有する少なくとも一のニードルと、
最大挿入深さをコントロールするためのリミッターであって、前記ニードルの完全な挿入を制限することなく、前記皮膚表面への前記ニードルの最大挿入深さをコントロールするリミッターと、
前記器具を前記皮膚表面に固定するための接着剤を備え、前記ニードルの周囲に閉鎖されているエアスペースを提供するニードルホルダーであって、前記ニードル長さおよび前記リミッターが前記注入剤が送出される場所の深さを決定して、ニードル挿入部位の付近の組織の歪み、圧縮、薄化を防止するために、前記リミッターから第１の距離に固定されているニードルホルダーと
を備えることを特徴とする注入薬物送出装置。
【請求項３１】
前記ニードルホルダーは、凹状の開口をさらに含むことを特徴とする請求項３０に記載の注入薬物送出装置。
【請求項３２】
前記ニードルの周囲に閉鎖された真空スペースを提供するための真空フィッティングをさらに含むことを特徴とする請求項３１に記載の注入薬物送出装置。
【請求項３３】
患者の皮膚表面に、薬物を注入するための皮内深さに貫入するのに十分な長さを有する少なくとも一のニードルと、
傾斜したニードルホルダーであって、前記皮膚表面に固定され、ニードル挿入部位の付近の組織の歪み、圧縮、薄化を防ぐための角度で前記ニードルを延在させるニードルホルダーと
を備えることを特徴とする注入薬物送出装置。
【請求項３４】
前記傾斜したニードルホルダーは、前記皮膚表面に対して約４５度の角度で前記ニードルを延在させることを特徴とする請求項３３に記載の注入薬物送出装置。